(57)【要約】【課題】  簡易な構成であって天井面を光天井として有効に利用できるエレベーターかごの天井照明装置を得る。【解決手段】  通常時には散光シート７を巻き取り機構６から引き出して、係止片を目地棒４の係止部に係合して散光シート７を光天井形成位置に配置する。また、光源体２の交換時等には係止片による係合を解除して散光シート７を巻き取り機構６に収納する。これにより、引き出した散光シート７によって形成された光天井面が開放される。  そして、一側の目地棒４に巻き取り機構６を装着するので、散光シート７を引き出し、また収納するための装置の設置スペースが減少する。このため、天井板１面を有効に利用でき光源体２及び散光シート７による光天井面による良好な照明作用を得る。【選択図】        図１
2005154131.tif 000002
【特許請求の範囲】
【請求項１】
天井板の下面に装着された光源体と、上記光源体よりも下方に配置されて水平投影面において上記天井板面を区画し互いに上記天井板の間口方向に離れて配置された奥行き方向目地棒と、端部が上記奥行き方向目地棒に接続して配置されて互いに上記天井板の奥行き方向に離れて配置され、上記奥行き方向目地棒に長手が直交して配置された間口方向目地棒と、上記奥行き方向目地棒及び間口方向目地棒の両者の一方における一側の目地棒に装着されて長手が対応した上記目地棒に沿って配置された巻き取り機構と、長手が上記巻き取り機構に巻掛けられて反巻き取り中心側の端部が引き出されて上記両者の一方における他側の目地棒の係止部に対向して配置される軟質透光材製の散光シートと、この散光シートの反巻き取り中心側の端部に設けられて上記係止部に係止する係止片とを備えたエレベーターかごの天井照明装置。
【請求項２】
奥行き方向目地棒及び間口方向目地棒の両者の他方における目地棒に設けられて人為操作によって動作し、散光シートの幅方向縁部を対応した上記目地棒の係止溝に押し込む係止機構を備えたことを特徴とする請求項１記載のエレベーターかごの天井照明装置。
【発明の詳細な説明】
【技術分野】
【０００１】
この発明は、天井のほぼ全面に散光板が設けられて形成された光天井を有するエレベーターかごの天井照明装置に関する。
【背景技術】
【０００２】
従来のエレベーターかごの天井照明装置においては、エレベーターのかごの天井に二個のロールを設け、これらのロールによるシートの送給及び巻取を行い清掃部材により自動清掃できる。また、ハンドルを操作してロールを引き下げることによって手動清掃もできる。なお、シートに彩色等を施してもよい。また、シートの巻取りは乗客不在時に行う構成にしている。（例えば、特許文献１参照）。
【０００３】
【特許文献１】特開２００２−１２０９８３号公報（要約）
【発明の開示】
【発明が解決しようとする課題】
【０００４】
従来のエレベーターかごの天井照明装置では、照明シート材を送給及び巻取りするための装置の配置に奥行きスペースが必要である。また、天井の幅方向の両縁部にそれぞれ送給・巻取り装置を設けるため、照明光を透過させて光天井としての照明機能を達成するスペースが減少するという問題点があった。
【０００５】
この発明は、かかる問題点を解消するためになされたものであり、簡易な構成であって天井面を光天井として有効に利用できるエレベーターかごの天井照明装置を得ることを目的とする。
【課題を解決するための手段】
【０００６】
この発明に係るエレベーターかごの天井照明装置においては、天井板の下面に装着された光源体と、この光源体よりも下方に配置されて水平投影面において天井板面を区画し互いに天井板の間口方向に離れて配置された奥行き方向目地棒と、端部が奥行き方向目地棒に接続して配置されて互いに天井板の奥行き方向に離れて配置され、奥行き方向目地棒に長手が直交して配置された間口方向目地棒と、奥行き方向目地棒及び間口方向目地棒の両者の一方における一側の目地棒に装着されて長手が対応した目地棒に沿って配置された巻き取り機構と、長手が巻き取り機構に巻掛けられて反巻き取り中心側の端部が引き出されて上記両者の一方における他側の目地棒の係止部に対向して配置される軟質透光材製の散光シートと、この散光シートの反巻き取り中心側の端部に設けられて上記両者の一方における他側の目地棒の係止部に係止する係止片とが設けられる。
【発明の効果】
【０００７】
この発明によるエレベーターかごの天井照明装置は、通常時には散光シートが巻き取り機構から引き出されて、係止片が目地棒の係止部に係合されて、散光シートが光天井形成位置に配置される。また、光源体の交換時等には係止片による係合が解除されて散光シートが巻き取り機構に収納されて、引き出された散光シートによって形成された光天井面が開放される。そして、奥行き方向目地棒及び間口方向目地棒の両者の一方における一側の目地棒に巻き取り機構が装着されるので、散光シートを引き出し、また収納するための装置の設置スペースが減少する。このため、天井板面を有効に利用して光源体及び散光シートによる光天井面による良好な照明作用を実現する効果がある。
【０００８】
また、一側の目地棒のみに巻き取り機構が装着されるので、散光シートを引き出し、また収納する装置の構成を簡易化でき、製作費を低減できると共に天井質量を軽減する効果がある。また、一側の目地棒のみに巻き取り機構が装着されるので、散光シートの引き出し方向を適宜に複数種設定することが可能でありデザインにおける自由度を向上する効果がある。さらに、散光シートによる光天井面の開放作業時に工具を使用することなく容易かつ迅速に光天井面の開放でき、また散光シートを所要の光天井面開放位置まで開放することができて、光源体の交換等の作業が容易にでき保守費を低減する効果がある。
【発明を実施するための最良の形態】
【０００９】
実施の形態１．
図１〜図７は、この発明の実施の形態を示す図で、図１はエレベーターかごの天井の縦断面図、図２は図１のＡ−Ａ線断面図、図３は図１の天井を下から見た図、図４は図３の要部斜視図、図５は図４のＢ−Ｂ線断面拡大図、図６は図３のＣ−Ｃ線断面拡大図、図７は図６における係止機構の係止状態を示す図である。図において、天蓋を形成する天井板１の下面に円形蛍光灯からなる複数の光源体２が装着され、また天井板１に非常救出口３が設けられる。
【００１０】
また、光源体２よりも下方に奥行き方向目地棒４が配置されて水平投影面において天井板１面を区画し互いに間口方向に離れて配置される。そして、間口方向目地棒５の端部が奥行き方向目地棒４に接続して配置され、奥行き方向目地棒４に長手が直交して配置されて水平投影面において天井板１面を区画し、互いに奥行き方向に離れて配置される。また、奥行き方向目地棒４及び間口方向目地棒５の両者の一方における一側の目地棒に巻き取り機構６が装着されて、長手が対応した目地棒に沿って配置される。
【００１１】
なお、巻き取り機構６は巻き取り方向に付勢されて適所で停止する機能を備えた周知のものであり、基本的構造としてロールアップカーテン等に使用されるものである。そして、軟質透光材製の散光シート７の長手が巻き取り機構６に巻掛けられて、反巻き取り中心側の端部が引き出されて上記両者の一方における他側の目地棒の係止部８に対向して配置される。また、係止部８に係止する係止片９が、散光シート７の反巻き取り中心側の端部に設けられている。
【００１２】
そして、上記両者の他方における両側の目地棒に係止機構１０が設けられて人為操作によって動作し、散光シート７の幅方向縁部をそれぞれ対応した両側の目地棒の係止溝１１に押し込む。なお係止機構１０は、上端が互いに枢着されると共に係止溝１１よりも上方位置において目地棒に枢着された上リンク１２、上端に係止溝１１の嵌合する押圧片１３が設けられ長手中間が上リンク１２の下端に枢着されると共に下端が相互に枢着された下リンク１４及び上端が下リンク１４の下端に枢着されて下端が目地棒から下垂して配置された操作棒１５によって構成されている。
【００１３】
上記のように構成されたエレベーターかごの天井照明装置において、通常時には巻き取り機構６から散光シート７の反巻き取り中心側の端部が引き出されて、係止片９が上記両者の一方における他側の目地棒の係止部８に係合される。次いで、係止機構１０の操作棒１５が押し上げられて図６に示す状態から下リンク１４の上端が、上リンク１２の動作と相俟って下方に回動して押圧片１３によって、散光シート７の幅方向縁部をそれぞれ対応した両側の目地棒の係止溝１１に押し込む。
【００１４】
これによって、散光シート７が図５に実線で示すように光天井形成位置に配置され、また散光シート７の幅方向縁部が図７に示すように対応した目地棒の係止溝１１に係止される。
そして、天井板１下面の清掃時、光源体２の交換時、非常救出口３による救出作業時には、係止機構１０の操作棒１５が引き下げられて図７に示す状態から図６に示す状態となり押圧片１３による散光シート７の幅方向縁部の押圧が解除される。
【００１５】
次いで、目地棒の係止部８と係止片９との係合が解除されて散光シート７が巻き取り機構６に巻き取られて、引き出された散光シート７によって形成された光天井面が開放される。以上説明した構造により、上記両者の一方における一側の目地棒に巻き取り機構６が装着されるので、散光シート７を引き出し、また収納するための装置の設置スペースが減少する。このため、天井板１面を有効に利用して光源体２及び散光シート７による光天井面を形成することができ、良好な照明作用を得ることができる。
【００１６】
また、一側の目地棒のみに巻き取り機構６が装着されるので、散光シート７を引き出し、また収納する装置の構成を簡易化でき、製作費を低減できると共に天井質量を軽減することができる。また、一側の目地棒のみに巻き取り機構６が装着されるので、散光シート７の引き出し方向を適宜に複数種設定できてデザインにおける自由度を増すことができる。さらに、散光シート７による光天井面の開放作業時に工具を使用することなく容易かつ迅速に光天井面の開放でき、また散光シート７を所要の光天井面開放位置まで開放することも可能である。
【００１７】
このため、光源体２の交換等の作業が容易にでき保守費を低減することができる。
また散光シート７が、目地棒の係止部８と係止片９との係合により、また係止機構１０による幅方向縁部の係止によって光天井形成位置に保持されるので、光天井形成状態において散光シート７に撓み、しわが生じることがない。このため、光天井面の美観を向上することができる。さらに、散光シート７に部分的な汚損、傷つきが発生した場合に、その箇所のみを補修できるので、補修費を節減することができる。
【００１８】
実施の形態２．
図８〜図１０は、この発明の他の実施の形態を示す図で、図８は前述の図２相当図、図９は図８の天井を下から見た図、図１０は図８のＤ部拡大図である。なお、図８〜図１０の他は前述の図１〜図７と同様にエレベーターかごの天井照明装置が構成されている。図において、図１〜図７と同符号は相当部分を示し、天井板１の奥行き方向における前部において下方に離れた位置に水平板１６が固定され、水平板１６の奥側の縁部に間口方向目地棒５が装着される。
【００１９】
そして、下垂板１７の上縁部が天井板１に固定されて間口方向目地棒５に対して空隙１８を形成して配置される。また、水平板１６の上面に巻き取り機構６が装着されて軟質透光材製の散光シート７が空隙１８から引き出される。そして、案内ローラ１９が水平板１６の上面に枢着されて散光シート７の下面に接して配置され、また下垂板１７の下縁にゴム板製の押圧片２０が装着されて散光シート７の上面を押さえ付ける。
【００２０】
上記のように構成されたエレベーターかごの天井照明装置においても、通常時には散光シート７が巻き取り機構６から引き出されて、係止片９が目地棒の係止部８に係合され、また係止機構１０によって散光シート７の幅方向縁部が目地棒の係止溝１１に押し込まれる。これによって、散光シート７が光天井形成位置に配置され、また光源体２の交換時等には、係止片９による係合が解除され、係止機構１０による押圧が解除されて、引き出された散光シート７によって形成された光天井面が開放される。
【００２１】
したがって、詳細な説明を省略するが図８〜図１０の実施の形態においても図１〜図７の実施の形態と同様な作用が得られる。
また図８〜図１０の実施の形態において、天井板１の水平板１６に巻き取り機構６が装着されて天井板１と同梱されて出荷される。このため、別体として運送が不要になるので輸送費を節減することができる。
【００２２】
実施の形態３．
図８〜図１０の実施の形態において、図９における二本の奥行き方向目地棒４の間に設けられて天井板１の奥行きの中間位置に配置された間口方向目地棒５を省略する。このように構成されたエレベーターかごの天井照明装置であっても、通常時には散光シート７が巻き取り機構６から引き出されて、係止片９が目地棒の係止部８に係合され、また係止機構１０によって散光シート７の幅方向縁部が目地棒の係止溝１１に押し込まれる。
【００２３】
このように構成されたエレベーターかごの天井照明装置においても、散光シート７が光天井形成位置に配置され、また光源体２の交換時等には係止片９による係合が解除され、係止機構１０による押圧が解除されて引き出された散光シート７によって形成された光天井面が開放される。したがって、詳細な説明を省略するが図８〜図１０の実施の形態と同様な作用が得られる。
【００２４】
実施の形態４．
図１１及び図１２も、この発明の他の実施の形態を示す図で、図１１は前述の図１相当図、図１２は図１１の天井を下から見た図である。なお、図１１及び図１２の他は前述の図１〜図７と同様にエレベーターかごの天井照明装置が構成されている。図において、図１〜図７と同符号は相当部分を示し、図１２における二本の奥行き方向目地棒４の間に設けられた間口方向目地棒２１を上方へ後退した凹曲線によって構成する。
【００２５】
上記のように構成されたエレベーターかごの天井照明装置においても、通常時には散光シート７が巻き取り機構６から引き出されて係止片９が目地棒の係止部８に係合され、また係止機構１０によって散光シート７の幅方向縁部が目地棒の係止溝１１に押し込まれる。これによって、散光シート７が光天井形成位置に配置され、また光源体２の交換時等には、係止片９による係合が解除され、係止機構１０による押圧が解除されて引き出された散光シート７によって形成された光天井面が開放される。
【００２６】
したがって、詳細な説明を省略するが図１１及び図１２の実施の形態においても図１〜図７の実施の形態と同様な作用が得られる。
また図１１及び図１２の実施の形態においては、散光シート７が引き出されて光天井形成位置に配置されることによって、かご内から見て凹曲面からなる光天井が構成される。これにより、散光シート７によって形成される光天井の造形表現を変化させることができる。
【図面の簡単な説明】
【００２７】
【図１】この発明の実施の形態１を示す図であり、エレベーターかごの天井の縦断面図。
【図２】図１のＡ−Ａ線断面図。
【図３】図１の天井を下から見た図。
【図４】図３の要部斜視図。
【図５】図４のＢ−Ｂ線断面拡大図。
【図６】図３のＣ−Ｃ線断面拡大図。
【図７】図６における係止機構の係止状態を示す図。
【図８】この発明の実施の形態２を示す図で、前述の図２相当図。
【図９】図８の天井を下から見た図。
【図１０】図８のＤ部拡大図。
【図１１】この発明の実施の形態４を示す図で、前述の図１相当図。
【図１２】図１１の天井を下から見た図。
【符号の説明】
【００２８】
１  天井板、２  光源体、４  奥行き方向目地棒（目地棒）、５  間口方向目地棒（目地棒）、６  巻き取り機構、７  散光シート、８  係止部、９  係止片、１０  係止機構、１１  係止溝。
【図１】
2005154131.tif 000003
【図２】
2005154131.tif 000004
【図３】
2005154131.tif 000005
【図４】
2005154131.tif 000006
【図５】
2005154131.tif 000007
【図６】
2005154131.tif 000008
【図７】
2005154131.tif 000009
【図８】
2005154131.tif 000010
【図９】
2005154131.tif 000011
【図１０】
2005154131.tif 000012
【図１１】
2005154131.tif 000013
【図１２】
2005154131.tif 000014